(57)【要約】【課題】表示する文字や数字の字形に合わせて発光素子を配置した固定文字方式の表示装置に関する表示方法であって、画数の少ない文字を表示する場合にも、注目を集めるのに十分な光の動きを与えることが可能な表示方法を提供する。【解決手段】プリント基板上に文字や数字の形に合わせて発光素子を配置した表示部と、発光素子で文字を形成したプリント基板を１文字の領域内で複数の区画に区切り、区切った区画ごとにまとめて発光素子を点灯／消灯する駆動部とを表示装置に備え、１文字あたりの表示領域を文字や数字の字形に応じて異なる面積割合で区画し、どの区画にも発光素子が含まれるようにする。【選択図】図３
2006106521.tif 000002
【特許請求の範囲】
【請求項１】
ドット表現された文字や数字のドットに合わせて発光素子を配置した表示装置の表示方法であって、
プリント基板上に発光素子をドット状に配置することで所定の文字を発光表示可能にした表示部と、
文字の形に発光素子を配置したプリント基板を１文字の領域内で所定の区画数に区切り、区切った区画ごとにまとめて発光素子の点灯あるいは消灯を行う駆動部とを表示装置に備え、
プリント基板の１文字あたりの表示領域を、プリント基板上に形成した文字の字形に応じて異なる面積割合で複数に区画し、文字を構成する発光素子が複数の区画のいずれにも含まれるようにすることを特徴とする表示装置の表示方法。
【発明の詳細な説明】
【技術分野】
【０００１】
本発明は、複数の発光素子をプリント基板上に配置し、各発光素子を点灯することで所定の文字、図形、模様等を表示する表示装置の表示方法に関する。
【背景技術】
【０００２】
特許文献１に示すように、プリント基板上にＬＥＤ等の発光素子を文字や数字の字形に合わせて配置し、営業内容や営業品目を表す文字、あるいは「営業中」等の文字を発光表示する表示装置が知られている。このように特定の文字を固定的に表示する表示装置は、発光素子をドットマトリクス配列して任意の文字を表示できるようにした装置と比較すると、発光素子とその駆動回路に関する部品の数を大幅に省くことができ、その結果、安価に表示装置を提供することができるという特徴を備えている。
【０００３】
一方で固定文字方式の表示装置は、マトリックス方式の表示装置より表現能力の点で劣るという短所を抱えている。マトリックス方式の表示装置であれば、縦横行列状に配置された発光素子を選択的に点灯／消灯することで文字を表現するため、文字の背景を装飾発光させたり、文字の部分を消灯して背景を点灯するいわゆる反転表示などの表現を行うことができる。しかし、固定文字方式の表示装置では、発光素子が文字の字形を表す部分だけに配置されているため、文字全体を点滅させたり、特許文献１、特許文献２に開示されるように文字の筆順で点灯させるなどの表現で注目性を高めるようにしている。
【特許文献１】実用新案登録第３０１３１７９号
【特許文献２】実用新案登録第３０１６６８４号
【発明の開示】
【発明が解決しようとする課題】
【０００４】
固定文字方式の表示装置は文字の線分のみが発光するものであるために表現の種類は装多くはなく、ある程度限られた表示態様の中でいかに注目を集めることができるかという点が重要になる。そのような表示態様の中の１つに、プリント基板上に発光素子を配置して表した１文字分の領域を複数に分割し、それら各領域に属する発光素子を領域ごとにまとめて点灯／消灯するものがある。分割した数と同じ数のビット数により１文字を動的に表示させることができ、例えば縦横にそれぞれ３分割し１文字を９個のマスで等分すれば、９個のマスを積み木のイメージで徐々に表示して１文字全体を表示したり、周囲のマスから中心のマスへ回転するイメージで表示表示したり、あるいは不規則な順番で表示するといった動きのある表示が可能になる。マトリックス方式の表示装置と比べた場合はもちろんのこと、比較的少ないビット数でアイキャッチ効果の高い表示を行うことができる。
【０００５】
しかし、当該駆動方式は画数の少ない文字の場合には表示効果を得にくいという問題点があった。一例を挙げれば、「営業中」の「中」を９個のマスで等分する場合、「中」の文字を構成する発光素子が１つも存在しないマスが右上、左上、右下、左下の４隅に現れることが多く、発光素子を持たないマスが存在すると、本来は文字を９個に分けて個々に発光駆動できる機能をそなえながら、発光素子のないマスの分だけ光の動きとして現れてこないのである。この問題は文字を分割するマスの数を少なくすることで解決可能ではあるが、見る者の関心を集めるだけの光の動きを提供するという点から考えると、マスの数は少なくとも１文字分の表示領域を縦横３分割した９個程度は必要であるという事情がある。
【０００６】
本発明は上記のような問題点を解決することを課題としており、表示する文字や数字の字形に合わせて発光素子を配置した固定文字方式の表示装置に関する表示方法であって、画数の少ない文字を表示する場合にも、注目を集めるのに十分な光の動きを与えることが可能な表示方法を提供することを目的としている。
【課題を解決するための手段】
【０００７】
本発明は、上記課題を解決するために、ドット表現された文字や数字のドットに合わせて発光素子を配置した表示装置の表示方法であって、プリント基板上に発光素子をドット状に配置することで所定の文字を発光表示可能にした表示部と、文字の形に発光素子を配置したプリント基板を１文字の領域内で所定の区画数に区切り、区切った区画ごとにまとめて発光素子の点灯あるいは消灯を行う駆動部とを表示装置に備え、プリント基板の１文字あたりの表示領域を、プリント基板上に形成した文字の字形に応じて異なる面積割合で複数に区画し、文字を構成する発光素子が複数の区画のいずれにも含まれるようにすることを特徴とする表示装置の表示方法を提案する。
【発明の効果】
【０００８】
本発明によれば、発光表示する文字の形に発光素子を配置したプリント基板の１文字分の表示領域を、文字の字形に応じて異なる面積割合で複数個に区画し、文字の字形に合わせて配置した発光素子が複数個の区画の何れの区画にも含まれるようにした。したがって、画数の少ない文字であっても表示装置が備える機能を無駄にすることなく最大限活用し、文字を細かく分割して注目度の高い表示動作を行うことができる。
【０００９】
以下、本発明の好適な実施形態を図面に基づいて説明する。
【実施例】
【００１０】
図１は本発明一実施例の外観を示す説明図である。１は表示装置本体で、片面または両面に表示面２を備え、この表示面２を除く装置全体を防水構造の本体ケーシングで取り囲んでいる。表示面２には、プリント基板上にＬＥＤを文字や数字の字形に合わせて配置しており、本実施例では「営」「業」「中」の３文字を形成し、ＬＥＤを点滅制御することでそれぞれの文字を発光表示可能にしている。
【００１１】
次に、図２のブロック図を基にして本発明一実施例の全体構成について説明する。表示面２は、プリント基板上に１文字分のＬＥＤを配置した文字パネル２−１、２−２、２−３によって構成されている。文字パネル２−１にはドットの集合で表した「営」の文字の各ドットに合わせてＬＥＤを配置しており、同じように文字パネル２−２、２−３にはそれぞれ「業」「中」の文字に合わせてＬＥＤを配置している。３−１、３−２、３−３はＬＥＤ駆動回路で、文字パネル２−１、２−２、２−３の各パネルにそれぞれ対応してパネル上に配置したＬＥＤを点滅駆動する。４は制御部で、ＲＯＭ５に予め記憶した点滅パターンデータに基づいてＬＥＤ駆動回路３−１〜３−３にＬＥＤ駆動信号を出力し、文字パネル上のＬＥＤを点滅制御して「営」「業」「中」の文字を所定の態様で発光表示する。ＲＯＭ５には複数通りの点滅パターンデータが記憶されており、パターン切換部６によって所望のパターンデータを選択することができる。
【００１２】
次に、文字パネル上に配置した１文字分のＬＥＤと、そのＬＥＤを発光駆動する際の区画との関係について図３を基に説明する。図３（ａ）は文字パネル２−１を縦方向と横方向に３等分し、「営」の文字を９つの区画Ａ−１〜Ａ−９で区切った状態を表している。等しい大きさの９つの区画には、それぞれ「営」の字形を形作るＬＥＤの一部が含まれ、同じ区画の中に含まれるＬＥＤは電気的に直列接続されている。区画Ａ−１〜Ａ−９の直列接続されたＬＥＤは前記ＬＥＤ駆動回路３−１に接続され、区画単位で点灯あるいは消灯するように構成されている。また、ＬＥＤ駆動回路３−１は区画Ａ−１〜Ａ−９を個々に点灯駆動することが可能で、９つの区画を全くランダムな順番で点灯／消灯したり、３×３構成の区画を行あるいは列ごとに点灯／消灯したり、Ａ−１、Ａ−２、Ａ−３、Ａ−６、Ａ−９、Ａ−８、Ａ−７、Ａ−４、Ａ−５の順番で回転するイメージで点灯／消灯するといった表示を行うことができる。もちろん９つの区画を同じタイミングで駆動することもでき、文字「営」の点滅表示を行うこともできる。
【００１３】
次に、図３（ｂ）は文字パネル２−３に形成した「中」の文字を９つの区画Ｃ−１〜Ｃ−９で区切った状態を表している。図に示すように、文字「中」では縦方向と横方向を３分割する際の寸法を異なる比率にしており、Ｃ−２、Ｃ−５、Ｃ−８の横幅方向の寸法とＣ−４、Ｃ−５、Ｃ−６の縦方向の寸法を他の区画よりも小さくしている。このような比率で分割することにより、文字「中」は異なる面積割合の９つの区画によって区切られる。文字「営」と「中」とを比較すると、「営」は文字の画数が多いうえ文字を構成する線分が文字パネルの四隅付近の領域に存在する字形であるため、文字パネルを縦横に３等分して同じ大きさの（面積割合の）区画で区切っても全ての区画に文字を構成するＬＥＤが含まれる。しかし、文字「中」は文字の画数が少なく、文字を構成する線分が文字パネルの四隅付近の領域（図３（ａ）の区画Ａ−１、Ａ−３、Ａ−７、Ａ−９に相当する領域）に存在しない字形であることから、図３（ａ）のように９等分に区画するとＬＥＤが存在しない区画が生じてしまうのである。そこで、図３（ｂ）に示すように文字に応じて縦横を３分割する際の比率を適宜調節することにより、文字パネルの四隅に位置する区画の面積割合を他の位置の区画より大きくし、文字を構成する線分が９つ全ての区画に含まれるようにしている。また図３（ａ）と同様に、同じ区画の中に含まれるＬＥＤは直列接続され、更にＬＥＤ駆動回路３−３に接続される。このように構成することで、区画Ｃ−１〜Ｃ−９を点灯駆動したときに文字「中」を９つに分割して表示効果を与えることができる。
【００１４】
本発明は以上のように構成されるものであるが、上記実施例に限定されるものではなく、特許請求の範囲内において種々の実施が可能である。例えば、上記実施例では「営」「業」「中」の文字を固定表示するようにしているが、他の文字で、異なる文字数でも実施可能であることは言うまでもない。また、上記実施例ではプリント基板の１文字の領域を縦横３分割し、９つの区画で区切るようにしているが、縦横の分割数や分割寸法の比率を適宜調節し任意の区画数で実施することもできる。
【図面の簡単な説明】
【００１５】
【図１】本発明一実施例の外観を示す説明図である。
【図２】本発明一実施例の全体構成を示すブロック図である。
【図３】１文字領域内のＬＥＤの配置と区分との関係を示す説明図である。
【符号の説明】
【００１６】
１    表示装置本体
２    表示面
２−１〜２−３    文字パネル
３−１〜３−３    ＬＥＤ駆動回路
４    制御部
５    ＲＯＭ
６    パターン切換部
Ａ−１〜Ａ−９    区画
Ｃ−１〜Ｃ−９    区画
【図１】
2006106521.tif 000003
【図２】
2006106521.tif 000004
【図３】
2006106521.tif 000005